(57)【要約】【課題】簡素な加工設備であっても精度よく且つ容易に加工を施すことができる建具を提供する。【解決手段】建具１０は、額縁部材１６を枠体１２に対して支持する額縁支持部２６ａ〜２６ｄを備える。額縁支持部２６ａ〜２６ｄは、枠体１２に設けられ、額縁部材１６の内面６０ａを支持する固定アングル部５０と、額縁部材１６の端面６０ｃで押圧される押圧片５２ｃと、押圧片５２ｃが押圧された場合に移動して、額縁部材１６の外面６０ｂを支持する支持片５２ｂとを有する可動アングル部５２とを備える。【選択図】図３Ｂ
2019116792.tif 000002
【特許請求の範囲】
【請求項１】
枠体と、該枠体の室内側に設けられる額縁部材と、該額縁部材を前記枠体に対して支持する額縁支持部と、を備える建具であって、
前記額縁支持部は、前記枠体に設けられ、前記額縁部材の前記枠体の枠内方向を向いた内面を支持する固定アングル部と、
前記額縁部材の端面で押圧される押圧片と、該押圧片が押圧された場合に移動して、前記額縁部材の前記枠体の枠外方向を向いた外面を支持する支持片とを有する可動アングル部と、
を備えることを特徴とする建具。
【請求項２】
請求項１に記載の建具において、
前記額縁支持部は、前記可動アングル部を前記枠体に対して回動可能に支持する回動軸部を備えることを特徴とする建具。
【請求項３】
請求項１又は２に記載の建具において、
前記可動アングル部は、爪部を有し、
前記枠体又は前記固定アングル部は、前記押圧片が前記額縁部材の端面で押圧される前の状態の前記可動アングル部の前記爪部を係止可能な係止部を有することを特徴とする建具。
【請求項４】
請求項１〜３のいずれか１項に記載の建具において、
前記枠体は、金属製の形材で形成され、
前記固定アングル部は、樹脂製の形材で形成されると共に、前記枠体に対して位置決め支持され、
前記可動アングル部は、金属製の形材で形成されていることを特徴とする建具。
【請求項５】
請求項１〜４のいずれか１項に記載の建具において、
前記固定アングル部は、前記枠体の内側見込み面に対して位置決め支持される取付片と、前記枠体の室内側端部から突出した固定側支持片と、を有し、
前記押圧片は、前記固定側支持片と前記支持片との間に配置されており、
前記額縁支持部は、前記固定側支持片と前記支持片との間で前記額縁部材を挟み込むことを特徴とする建具。
【発明の詳細な説明】
【技術分野】
【０００１】
本発明は、枠体で額縁部材を支持した建具に関する。
【背景技術】
【０００２】
例えば特許文献１には、枠体の室内側に木製の額縁部材を設けた建具が開示されている。特許文献１の構成は、枠体の室内側端部に室内側を向いて開口したコ字状の開口溝を形成し、この開口溝に額縁部材の端部を挿入することで額縁部材を枠体に対して支持している。
【先行技術文献】
【特許文献】
【０００３】
【特許文献１】特開２００７−１４６５３６号公報
【発明の概要】
【発明が解決しようとする課題】
【０００４】
ところが、上記特許文献１の構成は、額縁部材の製造時の寸法公差に基づく幅寸法や板厚の違いに柔軟に対応できず、額縁部材を開口溝に対して円滑に組み付けることができない場合がある。また、この構成では、枠体の施工後に開口溝の位置調整を行うことができず、額縁部材の組付作業の作業性がさらに低下する。しかもこの構成では、例えば額縁部材の板厚が小さい場合は、開口溝内で額縁部材ががたつきを生じることを防止するために、枠体の開口溝部分と額縁部材とを複数箇所でねじ止めする必要があり、製品の意匠性が低下し、組付作業も煩雑となる。
【０００５】
本発明は、上記従来技術の課題を考慮してなされたものであり、額縁部材の組付作業の作業性を向上させることができる建具を提供することを目的とする。
【課題を解決するための手段】
【０００６】
本発明に係る建具は、枠体と、該枠体の室内側に設けられる額縁部材と、該額縁部材を前記枠体に対して支持する額縁支持部と、を備える建具であって、前記額縁支持部は、前記枠体に設けられ、前記額縁部材の前記枠体の枠内方向を向いた内面を支持する固定アングル部と、前記額縁部材の端面で押圧される押圧片と、該押圧片が押圧された場合に移動して、前記額縁部材の前記枠体の枠外方向を向いた外面を支持する支持片とを有する可動アングル部と、を備えることを特徴とする。
【０００７】
このような構成によれば、額縁支持部の可動アングル部は、押圧片が額縁部材の端面で押圧されることで移動することで、その支持片と固定アングル部との間に額縁部材を支持する。これにより、額縁部材が幅寸法や板厚にばらつきを有する場合であっても、額縁部材を容易に枠体に対して組付支持することができる。このため、額縁部材の組付作業の作業性が向上すると共に、額縁部材を安定して支持することができる。また、当該建具は、額縁部材の押圧片に対する押圧力を調整するだけで、枠体の躯体への固定後或いは額縁部材の枠体への組付後であっても、額縁部材の位置調整や交換等を容易に行うことができる。さらに、当該建具は、額縁支持部で額縁部材を保持する構成としているため、例えば固定アングル部と額縁部材とを複数箇所でねじ打ちする必要がなく、作業が容易であると共に意匠性が向上する。
【０００８】
本発明に係る建具において、前記額縁支持部は、前記可動アングル部を前記枠体に対して回動可能に支持する回動軸部を備える構成としてもよい。そうすると、押圧片が額縁部材によって室外側へと押圧されることで、支持片が額縁部材の外面に向かって円滑に旋回移動し、これを支持することができる。
【０００９】
本発明に係る建具において、前記可動アングル部は、爪部を有し、前記枠体又は前記固定アングル部は、前記押圧片が前記額縁部材の端面で押圧される前の状態の前記可動アングル部の前記爪部を係止可能な係止部を有する構成としてもよい。そうすると、可動アングル部は、額縁部材の組付前の状態では爪部を係止部に係止させて仮保持しておくことができ、輸送時等のがたつきが防止される。
【００１０】
本発明に係る建具において、前記枠体は、金属製の形材で形成され、前記固定アングル部は、樹脂製の形材で形成されると共に、前記枠体に対して位置決め支持され、前記可動アングル部は、金属製の形材で形成された構成としてもよい。そうすると、額縁部材を支持する室内側且つ枠内側の固定アングル部を樹脂製としたことで、枠体に別途樹脂製の断熱枠材を装着することなく、当該建具の室内外方向での断熱性を確保することができる。
【００１１】
本発明に係る建具において、前記固定アングル部は、前記枠体の内側見込み面に対して位置決め支持される取付片と、前記枠体の室内側端部から突出した固定側支持片と、を有し、前記押圧片は、前記固定側支持片と前記支持片との間に配置されており、前記額縁支持部は、前記固定側支持片と前記支持片との間で前記額縁部材を挟み込む構成としてもよい。そうすると、固定側アングル部の固定側支持片と可動アングル部の支持片との間で額縁部材を円滑に且つ確実に支持することができる。
【発明の効果】
【００１２】
本発明によれば、額縁部材の組付作業の作業性を向上させることができる。
【図面の簡単な説明】
【００１３】
【図１】本発明の一実施形態に係る建具の縦断面図である。
【図２】図１に示す建具の横断面図である。
【図３Ａ】右側の縦枠の縦額縁支持部で縦額縁を支持する前の状態を示す要部拡大横断面図である。
【図３Ｂ】図３Ａに示す状態から縦額縁支持部で縦額縁を支持した状態を示す要部拡大横断面図である。
【発明を実施するための形態】
【００１４】
以下、本発明に係る建具について好適な実施の形態を挙げ、添付の図面を参照しながら詳細に説明する。
【００１５】
図１は、本発明の一実施形態に係る建具１０の縦断面図である。図２は、図１に示す建具１０の横断面図である。図１及び図２に示すように、建具１０は、建物の躯体１１の開口部に固定される枠体１２と、枠体１２にスライド可能に配設される左右一対の障子１４，１５と、枠体１２の室内側に支持される額縁部材１６とを備える。本実施形態では、障子１４，１５をスライドさせることで枠体１２の内側開口を開閉可能な引違い窓の建具１０を例示する。
【００１６】
枠体１２は、上枠１２ａと、下枠１２ｂと、左右の縦枠１２ｃ，１２ｄとを四周枠組みすることで矩形の開口部を形成したものである。枠体１２は、例えばアルミニウム等の金属の押出形材である。枠体１２は、くぎやねじ等の固定具１７を用いて躯体１１に固定される。
【００１７】
本出願において、見込み方向とは建具１０の室内外方向、つまり室内側から室外側に向かう方向又はその逆方向（図中に矢印Ｙで示す方向）をいい、見込み面とは見込み方向に沿って延在する面をいう。見付け方向とは見込み方向に直交する方向であり、上下方向に長尺な縦枠１２ｃ等の場合はその長手方向に直交する左右方向（図中に矢印Ｘで示す方向）をいい、左右方向に長尺な上枠１２ａ等の場合はその長手方向に直交する上下方向（図中に矢印Ｚで示す方向）をいう。見付け面とは見付け方向に沿った面をいう。枠状部材の内側（内周）とは、例えば枠体１２の枠内側をいい、枠状部材の外側（外周）とは、例えば枠体１２の躯体１１に固定される枠外側をいう。また、枠状部材の枠内方向とは、例えば枠体１２の外側から内側に向かう方向をいい、枠状部材の枠外方向とは、例えば枠体１２の内側から外側に向かう方向をいう。
【００１８】
図１に示すように、上枠１２ａの内側見込み面１８ａには、レール２０ａ，２１ａ，２２ａが見込み方向に並んで設けられている。下枠１２ｂの内側見込み面２４ａには、レール２０ｂ，２１ｂ，２２ｂが見込み方向に並んで設けられている。レール２０ａ，２０ｂは、障子１４の室外側に設けられた網戸２５をスライド可能にガイドする突出片である。レール２１ａ，２１ｂは、室外側の障子１４をスライド可能にガイドする突出片である。レール２２ａ，２２ｂは、室内側の障子１５をスライド可能にガイドする突出片である。
【００１９】
上枠１２ａの室内側端部には、額縁部材１６の上額縁１６ａを支持する上額縁支持部（額縁支持部）２６ａが設けられている。下枠１２ｂの室内側端部には、額縁部材１６の下額縁１６ｂを支持する下額縁支持部２６ｂが設けられている。
【００２０】
図２に示すように、一方の縦枠１２ｃの内側見込み面２８ａには、ヒレ部３０，３１が見込み方向に並んで設けられている。他方の縦枠１２ｄの内側見込み面３２ａには、ヒレ部３４，３５が見込み方向に並んで設けられている。ヒレ部３０，３４は、閉じ位置にある網戸２５を支持する突出片である。ヒレ部３１，３５は、それぞれ閉じ位置にある障子１４，１５を支持する突出片である。
【００２１】
縦枠１２ｃの室内側端部には、額縁部材１６の左側の縦額縁１６ｃを支持する縦額縁支持部（額縁支持部）２６ｃが設けられている。縦枠１２ｄの室内側端部には、額縁部材１６の右側の縦額縁１６ｄを支持する縦額縁支持部（額縁支持部）２６ｄが設けられている。
【００２２】
図１及び図２に示すように、室外側の障子１４は、框体３８の内側に面材３９を保持した構成である。框体３８は、面材３９の四周を囲む上框３８ａ、下框３８ｂ、戸先框３８ｃ及び召合せ框３８ｄを有する。本実施形態では複層ガラスで構成された面材３９を例示しているが、面材３９は１枚ガラス等でもよい。
【００２３】
框体３８は、室外側に配設される金属框材４０と、室内側に配設される樹脂框材４２とを組み合わせた複合構造となっている。金属框材４０は、例えばアルミニウム等の金属の押出形材である。樹脂框材４２は、例えば塩化ビニル樹脂（ＰＶＣ）等の樹脂の押出形材である。上框３８ａは、金属框材４０の金属上框４０ａの室内側見付け面に樹脂框材４２の樹脂上框４２ａを装着した構成である。下框３８ｂは、金属框材４０の金属下框４０ｂの室内側見付け面に樹脂框材４２の樹脂下框４２ｂを装着した構成である。戸先框３８ｃは、金属框材４０の金属戸先框４０ｃの室内側見付け面に樹脂框材４２の樹脂戸先框４２ｃを装着した構成である。召合せ框３８ｄは、金属框材４０の金属召合せ框４０ｄで構成されている。
【００２４】
室内側の障子１５は、召合せ框３８ｄと構成が異なる召合せ框３８ｅを有する以外は障子１４と略同一構造である。そこで、障子１５については、障子１４と同一又は同様な構成要素について図中に障子１４と同一の参照符号を付して詳細な説明を省略する。障子１５の召合せ框３８ｅは、金属框材４０の金属召合せ框４０ｅの室内側見付け面に樹脂框材４２の樹脂召合せ框４２ｅを装着した構成である。障子１５の召合せ框３８ｅと障子１４の召合せ框３８ｄとの間はクレセント４４によってロック可能であり、これにより障子１４，１５を閉状態に保持できる。
【００２５】
図１及び図２に示すように、額縁部材１６は、上額縁１６ａと、下額縁１６ｂと、左右の縦額縁１６ｃ，１６ｄとを四周枠組みすることで矩形の開口部を形成したものである。各額縁１６ａ〜１６ｄは、例えば樹脂板や木板によって形成されている。額縁部材１６は、予め躯体１１に固定した枠体１２に対し、各額縁１６ａ〜１６ｄを枠組みした状態で取り付けられる。
【００２６】
図３Ａは、右側の縦枠１２ｄの縦額縁支持部２６ｄで縦額縁１６ｄを支持する前の状態を示す要部拡大横断面図であり、図３Ｂは、図３Ａに示す状態から縦額縁支持部２６ｄで縦額縁１６ｄを支持した状態を示す要部拡大横断面図である。以下では、右側の縦額縁支持部２６ｄによる縦額縁１６ｄの支持構造を代表的に説明するが、他の額縁支持部２６ａ〜２６ｃによる額縁１６ａ〜１６ｃの支持構造については、縦額縁支持部２６ｄに対して設置方向が異なったり左右対称構造であったりする以外は略同一構造であるため、図中に縦額縁支持部２６ｄと同一の参照符号を付して詳細な説明を省略する。
【００２７】
図３Ａ及び図３Ｂに示すように、縦額縁支持部２６ｄは、固定アングル部５０と、可動アングル部５２と、回動軸部５４とを備える。
【００２８】
固定アングル部５０は、断面略クランク形状の形材である。固定アングル部５０は、見込み方向（Ｙ方向）に沿う室外側の取付片５０ａと、見込み方向（Ｙ方向）に沿う室内側の支持片（固定側支持片）５０ｂとの間に、見付け方向（Ｘ方向）に沿うブリッジ片５０ｃを設けた構成である。固定アングル部５０は、例えば塩化ビニル樹脂（ＰＶＣ）等の樹脂の押出形材である。固定アングル部５０は、縦枠１２ｄの内側見込み面３２ａに対して位置決め支持される。
【００２９】
取付片５０ａは、縦枠１２ｄの内側見込み面３２ａに装着される部分である。縦枠１２ｄの室内側端部には、枠内方向に突出した第１係合片５６と、枠外方向に突出した軸受片５７とが設けられている。縦枠１２ｄの内側見込み面３２ａには、軸受片５７よりも室外側となる位置に第２係合片５８が設けられている。各係合片５６，５８は、互いに対向する方向に突出した爪形状を有する。固定アングル部５０は、取付片５０ａが係合片５６，５８間に係合されることで、縦枠１２ｄの内側見込み面３２ａに装着される。支持片５０ｂは、縦枠１２ｄの室内側端部（第１係合片５６）よりも室内側に突出しており、縦額縁１６ｄの枠内方向を向いた内面６０ａを支持するための板片である。図３Ｂに示す構成例では、支持片５０ｂの先端で枠外方向に屈曲した凸部を内面６０ａに当接させているが、支持片５０ｂは面全体で内面６０ａを支持する構成等であってもよい。
【００３０】
軸受片５７は、縦枠１２ｄの外側見込み面３２ｂから湾曲しながら枠外方向に突出している。軸受片５７は、室内側を向いて開口した略Ｃ字状の軸受部５７ａと、枠外方向に向かう突出片である係止部５７ｂとを有する。軸受片５７は、固定アングル部５０に設けられてもよい。
【００３１】
可動アングル部５２は、仮保持片５２ａと、支持片５２ｂと、押圧片５２ｃと、軸部５２ｄとを有する。可動アングル部５２は、例えばアルミニウム等の金属の押出形材である。可動アングル部５２は、縦枠１２ｄの外側見込み面３２ｂの枠外側で回動可能に設けられている。
【００３２】
仮保持片５２ａは、可動アングル部５２が図３Ａに示す仮保持位置にある場合に、縦枠１２ｄの外側見込み面３２ｂの枠外側で見込み方向（Ｙ方向）に沿って配置される。仮保持片５２ａは、釣り針のかえしと同様な爪部５２ｅを枠内側見込み面に有し、室外側に向かって先細りの略三角形状を有する。軸部５２ｄは、仮保持片５２ａと押圧片５２ｃとの間に設けられ、軸受部５７ａに向かって突出しており、先端に軸受部５７ａに回転可能に支持される円柱形状部を有する。回動軸部５４は、軸部５２ｄと軸受部５７ａで構成され、可動アングル部５２を枠体１２に対して回動可能に支持する。支持片５２ｂは、縦枠１２ｄの室内側端部（軸受片５７）よりも室内側に突出しており、縦額縁１６ｄの枠外方向を向いた外面６０ｂを支持するための板片である。支持片５２ｂは、固定アングル部５０の支持片５０ｂと対向配置され、その間に縦額縁１６ｄを挟持可能である。支持片５２ｂは、押圧片５２ｃよりも枠外方向に位置している。支持片５２ｂは、可動アングル部５２が図３Ａに示す仮保持位置にある場合に、室内側に向かって次第に枠外方向に傾斜した方向に沿って配置され、固定アングル部５０の支持片５０ｂとの間に略扇状の開き角度を形成している。図３Ｂに示す構成例では、支持片５２ｂの先端で枠内方向に屈曲した凸部を外面６０ｂに当接させているが、支持片５２ｂは面全体で外面６０ｂを支持する構成等であってもよい。
【００３３】
押圧片５２ｃは、可動アングル部５２が図３Ａに示す仮保持位置にある場合に、支持片５２ｂの基端部（根元）よりも枠内方向に突出しつつ室内側に傾斜した板片である。押圧片５２ｃは、回動軸部５４よりも枠内方向に位置している。押圧片５２ｃは、支持片５０ｂ，５２ｂ間に配置され、縦額縁支持部２６ｄに対して室外側に向かって押し込まれる額縁部材１６の端面６０ｃで押圧可能である。つまり押圧片５２ｃは、可動アングル部５２が図３Ａに示す仮保持位置にある場合に、少なくともその先端が額縁部材１６の外面６０ｂよりも枠内側に位置している。押圧片５２ｃと軸部５２ｄとの間は、押圧片５２ｃと同一方向に延びたブリッジ片５２ｆで繋がれている。
【００３４】
上記した通り、上額縁支持部２６ａは、設置方向が異なる以外は縦額縁支持部２６ｄと略同一構造であり、下額縁支持部２６ｂは、上額縁支持部２６ａと上下対称構造である以外は縦額縁支持部２６ｄと略同一構造であり、縦額縁支持部２６ｃは、左右対称構造である以外は縦額縁支持部２６ｄと略同一構造である。従って、各額縁支持部２６ａ〜２６ｃは、それぞれ固定アングル部５０、可動アングル部５２及び回動軸部５４を備え、固定アングル部５０が各枠１２ａ〜１２ｃの内側見込み面１８ａ，２４ａ，２８ａ側に設けられ、可動アングル部５２が各枠１２ａ〜１２ｃの外側見込み面１８ｂ，２４ｂ，２８ｂの枠外側で回動可能に設けられている。図１及び図２では、額縁支持部２６ａ〜２６ｄに関する一部要素の符号の図示を省略している。可動アングル部５２を固定アングル部５０（枠体１２）に対して回動可能に設けた構成は、各額縁支持部２６ａ〜２６ｄのうちで１つ以上に設けられればよいが、少なくとも互いに対向する額縁支持部２６ａ〜２６ｄ（例えば、縦額縁支持部２６ｃ，２６ｄ）に設けると額縁部材１６の組付作業の作業性の向上効果が大きい。
【００３５】
次に、枠体１２に対して各額縁支持部２６ａ〜２６ｄを用いて額縁部材１６を取り付ける取付作業の一例を説明する。
【００３６】
先ず、額縁部材１６は、各額縁１６ａ〜１６ｄを予め接着剤やねじ等を用いて枠組みしておき、枠体１２は、躯体１１に固定しておく。この際、各額縁支持部２６ａ〜２６ｄは、図３Ａに示すように、可動アングル部５２を開き方向に回動させて爪部５２ｅを係止部５７ｂにスナップインで係止させた仮保持位置とし、支持片５０ｂ，５２ｂ間を開いて広い間隔としておく。可動アングル部５２は、仮保持位置で爪部５２ｅが係止部５７ｂに係止されることで、輸送時等の可動アングル部５２のがたつきが防止される。
【００３７】
続いて、各額縁支持部２６ａ〜２６ｄの支持片５０ｂ，５２ｂ間に、額縁部材１６の各額縁１６ａ〜１６ｄの室外側端部を差し込み、その端面６０ｃで押圧片５２ｃを室外側に向かって押し込む。この際、可動アングル部５２が爪部５２ｅと係止部５７ｂの係止作用によって仮保持位置に位置決めされているため、支持片５０ｂ，５２ｂ間が広い間隔に維持されている。このため、額縁部材１６の端面６０ｃを容易に且つ円滑に支持片５０ｂ，５２ｂ間に差し込んで押圧片５２ｃを押圧することができる。なお、可動アングル部５２は、爪部５２ｅで係止部５７ｂに仮保持されている状態である。従って、押圧片５２ｃが端面６０ｃで押圧されると、爪部５２ｅが係止部５７ｂから外れ、可動アングル部５２は回動軸部５４を介して閉じ方向（図３Ｂに示す時計方向）に回動する。
【００３８】
図３Ｂに示すように、可動アングル部５２が閉じ方向に回動すると、可動アングル部５２の支持片５２ｂが、固定アングル部５０の支持片５０ｂに接近する方向に移動して額縁部材１６の外面６０ｂに当接する。つまり各額縁支持部２６ａ〜２６ｄは、額縁部材１６の端面６０ｃによる押圧片５２ｃに対する押圧力が、支持片５０ｂ，５２ｂ間の間隔を狭くして額縁部材１６を挟み込む力に変換される。このため、額縁部材１６は、支持片５０ｂ，５２ｂ間でがたつきなく安定して保持される。これにより、額縁部材１６の枠体１２に対する取付作業が完了する。なお、本実施形態の場合、額縁部材１６の室内側端部は、枠外方向に屈曲された部分が躯体１１に対してシール材等を介して固定される。
【００３９】
以上のように、本実施形態に係る建具１０において、額縁支持部２６ａ〜２６ｄは、枠体１２に設けられ、額縁部材１６の内面６０ａを支持する固定アングル部５０と、額縁部材１６の端面６０ｃで押圧される押圧片５２ｃと、押圧片５２ｃが押圧された場合に移動して、額縁部材１６の外面６０ｂを支持する支持片５２ｂとを有する可動アングル部５２とを備える。
【００４０】
すなわち、額縁部材１６は、製造時の寸法公差や製造誤差等により、その幅寸法（例えば、対向する縦額縁１６ｃ，１６ｄの外面６０ｂ，６０ｂ間の寸法）や各額縁１６ａ〜１６ｄの板厚が異なる場合がある。そこで、当該建具１０は、額縁支持部２６ａ〜２６ｄの押圧片５２ｃが額縁部材１６で押圧された場合に可動アングル部５２が移動し、支持片５０ｂ，５２ｂで額縁部材１６を支持可能に構成している。これにより、上記のように額縁部材１６が幅寸法や板厚にばらつきを有する場合であっても、額縁部材１６を容易に枠体１２に対して組付支持することができる。このため、額縁部材１６の組付作業の作業性が向上すると共に、額縁部材１６を安定して支持することができる。また、当該建具１０では、押圧片５２ｃが額縁部材１６の端面６０ｃで押圧された場合に可動アングル部５２の支持片５２ｂが額縁部材１６の外面６０ｂを支持する。このように各額縁支持部２６ａ〜２６ｄは、額縁部材１６の端面６０ｃによる押圧片５２ｃに対する押圧力を、支持片５０ｂ，５２ｂ間で額縁部材１６を挟み込む力に利用でき、額縁部材１６の支持が一層容易であると共に、額縁部材１６の支持力が安定して継続する。さらに、当該建具１０では、枠体１２の躯体１１への固定後或いは額縁部材１６の枠体１２への組付後であっても、額縁部材１６の押圧片５２ｃに対する押圧力を調整するだけで、額縁部材１６の位置調整や交換等を容易に行うことができる。また、当該建具１０は、額縁支持部２６ａ〜２６ｄで額縁部材１６を保持する構成としている。このため、例えば固定アングル部５０と額縁部材１６とを複数箇所でねじ打ちする必要がなく、作業が容易であると共に意匠性が向上する。
【００４１】
当該建具１０において、固定アングル部５０は、額縁部材１６の内面６０ａを支持するように枠体１２の枠内側で位置決めされる。すなわち、枠体１２の枠内部分は、建具１０の開口寸法を形成するだけでなく、障子１４，１５が回転窓等の場合は戸当たりが設けられることもある。このため、当該建具１０は、枠体１２に対して位置決めされる固定アングル部５０を枠内側に設け、可動する可動アングル部５２を枠外側に設けたことで、枠体１２の枠内部分での部材の位置関係が変化することを防止し、建具１０の製品品質を確保している。例えば、枠体１２の枠内部分の寸法は、当該建具１０が引違い窓の場合は、障子１４，１５の引き残し位置や、框体３８に設ける引手の位置等に影響するため、固定アングル部５０が枠内側で位置決めされていることが望ましい。なお、固定アングル部５０は、枠体１２と一体成形されてもよい。
【００４２】
当該建具１０では、可動アングル部５２が回動軸部５４を介して枠体１２（又は固定アングル部５０）に対して回動可能に設けられると共に、押圧片５２ｃが回動軸部５４よりも枠内側に位置し、支持片５２ｂが押圧片５２ｃよりも枠外側に位置している。このため、押圧片５２ｃが額縁部材１６によって室外側へと押圧されると、支持片５２ｂが円滑に額縁部材１６の外面６０ｂに向かって円滑に旋回移動する。この際、支持片５２ｂには、押圧片５２ｃの回動軸部５４からの突出長さ分のモーメント力が作用する。このため、支持片５２ｂがより強固に外面６０ｂに押し付けられ、額縁部材１６の支持力が強くなる。回動軸部５４は、軸受部５７ａを可動アングル部５２に設け、軸部５２ｄを枠体１２又は固定アングル部５０に設けてもよい。額縁支持部２６ａ〜２６ｄは、可動アングル部５２の押圧片５２ｃが額縁部材１６で押圧された場合に支持片５２ｂが移動して額縁部材１６の外面６０ｂに当接する構成であれば、可動アングル部５２を回動可能とした構成以外でもよい。
【００４３】
当該建具１０では、枠体１２が金属製の形材で形成され、固定アングル部５０が樹脂製の形材で形成され、可動アングル部５２は、金属製の形材で形成されている。このため、当該建具１０は、枠体１２を金属製とした構成でありながらも、その室内側で枠体１２の枠内側に樹脂製の固定アングル部５０が配置される。その結果、金属框材４０と樹脂框材４２との複合構造の框体３８を有する障子１４，１５と共に、建具１０の室内外方向での断熱性能を確保することができる。換言すれば、当該建具１０は、額縁部材１６を支持する固定アングル部５０を樹脂製としたことで、枠体１２に別途樹脂製の断熱枠材を装着することなく、高い断熱性を得ることが可能となっている。一方、可動アングル部５２は、枠体１２の枠外側に設けられ、また移動して額縁部材１６を押さえ付ける構成であるため、金属製とすることで十分な強度を確保している。枠体１２は樹脂製でもよく、障子１４，１５の框体３８は金属製或いは樹脂製でもよい。
【００４４】
なお、本発明は、上記した実施形態に限定されるものではなく、本発明の主旨を逸脱しない範囲で自由に変更できることは勿論である。
【００４５】
例えば上記では、引違い窓の建具１０を例示したが、建具１０は片引き窓等の他のスライディング窓、嵌め殺し窓、上げ下げ窓、開き窓等の回転窓、ドア等であってもよい。障子１４，１５の設置枚数は変更してもよい。また、額縁部材１６は、枠体１２の室外側に設けられてもよい。
【符号の説明】
【００４６】
１０  建具、１１  躯体、１２  枠体、１２ａ  上枠、１２ｂ  下枠、１２ｃ，１２ｄ  縦枠、１４，１５  障子、１６  額縁部材、１６ａ  上額縁、１６ｂ  下額縁、１６ｃ，１６ｄ  縦額縁、１８ａ，２４ａ，２８ａ，３２ａ  内側見込み面、１８ｂ，２４ｂ，２８ｂ，３２ｂ  外側見込み面、２６ａ  上額縁支持部、２６ｂ  下額縁支持部、２６ｃ，２６ｄ  縦額縁支持部、５０  固定アングル部、５０ｂ，５２ｂ  支持片、５２  可動アングル部、５２ｃ  押圧片、５２ｄ  軸部、５２ｅ  爪部、５４  回動軸部、５７ａ  軸受部、５７ｂ  係止部、６０ａ  内面、６０ｂ  外面、６０ｃ  端面
【図１】
2019116792.tif 000003
【図２】
2019116792.tif 000004
【図３Ａ】
2019116792.tif 000005
【図３Ｂ】
2019116792.tif 000006